(57)【要約】【課題】街頭、店舗内外、乗物内外、公共施設内外に設置される情報通信モジュールよりユーザーの携帯電話やモバイル携帯情報端末に向かってメールを送信し、ユーザーは端末を情報待ちうけモードに設定しておくのみでこの情報を自動的に受けることができるアクティブ情報発信装置を提供する。【解決手段】赤外線あるいはブルートゥースに代表される無線通信モジュール１３を持つアクティブ情報発信装置１０であって、アクティブ情報発信装置１０は、ユーザから見つけやすいロゴ、キャラクターを備え、通信モジュール１３は、受信待ちうけ設定された携帯情報端末が近づいてくると通信リンクを確立し、情報発信装置１０側からアクティブに電磁波により文字、画像、音声、音楽あるいはこれらの組み合わせを内容として持つメールを送信する。【選択図】  図１
2004289763.tif 000002
【特許請求の範囲】
【請求項１】
赤外線あるいはブルートゥースに代表される無線通信モジュールを持つアクティブ情報発信装置であって、
前記アクティブ情報発信装置は、ユーザから見つけやすいロゴ、キャラクターを備え、前記通信モジュールは、受信待ちうけ設定された携帯情報端末が近づいてくると通信リンクを確立し、情報発信装置側からアクティブに電磁波により文字、画像、音声、音楽あるいはこれらの組み合わせを内容として持つメールを自動かつ無人で送信することを特徴とするアクティブ情報発信装置。
【請求項２】
前記アクティブ情報発信装置により送信されるメールの情報内容を日々時時刻刻変化させる機能を有することを特徴とする請求項１記載のアクティブ情報発信装置。
【発明の詳細な説明】
【０００１】
【発明の属する技術分野】
本発明は、携帯電話やモバイル等の携帯情報端末に電磁波を用いメールを伝送することによりユーザの各種生活利便性及び生活コストを向上するものである。
【０００２】
【従来の技術】
従来の装置としては特許文献１に記載のように通信モジュールが付着、封入または印刷されるポスターや看板等のようなシート状またはパネル状の広告媒体に向かってユーザーの携帯情報端末から発信された信号を受信して受動的（パッシブ）に情報を提供しようとするものであった。
【０００３】
【特許文献１】
実用新案登録第３０８５０５０号
【０００４】
【発明が解決しようとする課題】
しかしながら、特許文献１記載の方式では待ちうけ型であり積極的な情報提供方法とはなり得ない。つまり、ユーザの知らない情報を送信することはできない。また通信モジュールの位置をユーザは容易には把握できないため混乱する場面が想定される。さらに携帯情報端末に広告媒体から来た情報が自動的に保存する概念が無い為、後日読むことの概念が入っていない。従ってユーザはその場で立ち止まりウエブサーフィンをその場で行う必要が出てくる、といった短所があった。
【０００５】
個人、商店、会社、各種団体は一般大衆に提供したい情報を潜在的に持つが、ウェブサイトを使ったホームページによる情報提供を行うには知識を持っていない人も多い。また、ウェブサイトによる情報提供はユーザがそのサイトを探し出さなければならないという極めて受身の待ちうけ型のシステムである。一方電子メールは積極的にターゲットとなる人宛てに積極的にアクティブに情報を出すものである。
【０００６】
本発明の目的は、上記問題を解決するため、街頭、店舗内外、乗物内外、公共施設内外に設置される情報通信モジュールよりユーザーの携帯電話やモバイル携帯情報端末に向かってメールを送信し、ユーザーは端末を情報待ちうけモードに設定しておくのみでこの情報を自動的に受けることができるアクティブ情報発信装置を提供することにある。
【０００７】
【課題を解決するための手段および作用】
本発明に係るアクティブ情報発信装置は、上記の目的を達成するために、次のように構成される。
【０００８】
第１のアクティブ情報発信装置（請求項１に対応）は、赤外線あるいはブルートゥースに代表される無線通信モジュールを持つアクティブ情報発信装置であって、アクティブ情報発信装置は、ユーザから見つけやすいロゴ、キャラクターを備え、通信モジュールは、受信待ちうけ設定された携帯情報端末が近づいてくると通信リンクを確立し、情報発信装置側からアクティブに電磁波により文字、画像、音声、音楽あるいはこれらの組み合わせを内容として持つメールを自動かつ無人で送信することで特徴づけられる。
【０００９】
第１のアクティブ情報発信装置によれば、赤外線あるいはブルートゥースに代表される無線通信モジュールを持つアクティブ情報発信装置であって、アクティブ情報発信装置は、ユーザから見つけやすいロゴ、キャラクターを備え、通信モジュールは、受信待ちうけ設定された携帯情報端末が近づいてくると通信リンクを確立し、情報発信装置側からアクティブに電磁波により文字、画像、音声、音楽あるいはこれらの組み合わせを内容として持つメールを送信するため、例えば、アクティブ情報提供方法の構成として、ユーザから見つけやすいロゴ、キャラクターを備えた通信モジール及びこれに接続された制御装置及び送信メールを保存しておく為の情報蓄積装置、必要な場合は本装置を外部から制御する為の外部リンクより構成するようにし、通信モジールは赤外線（ｌｒ）モジュールあるいは無線アンテナあるいはアンテナモジュールにし、携帯情報端末側も赤外線（ｌｒ）モジュールあるいは無線アンテナあるいはアンテナモジュールを装備しておくようにすることにより、サーバとなるアクティブ情報提供機は情報待ちうけモードの携帯情報端末が近づいてくると通信リンクを確立し、次にメールを送信する。この動作は電話としての機能を使わず、直接送受信を行う為通信コストは発生しない。そしてその際個人情報を与えることは無い。メールを受信した携帯情報端末にはこのメールが保存される。この為ユーザは任意の時点でこの内容を確認することができ、ユーザは歩く、走る、話すといった現在の行動を継続することができる。メールの内容はテキスト、画像、音声、音楽及びこれらの任意の組み合わせである。テキストの中にはさらなる詳しい情報を提供する為のＵＲＬを含む。携帯情報端末側の制約により、文字数が制限される場合は、分割送信を可能とする。
【００１０】
第２のアクティブ情報発信装置（請求項２に対応）は、上記の構成において、好ましくはアクティブ情報発信装置により送信されるメールの情報内容を日々時時刻刻変化させる機能を有することで特徴づけられる。
【００１１】
第２のアクティブ情報発信装置によれば、アクティブ情報発信装置により送信されるメールの情報内容を日々時時刻刻変化させる機能を有するため、アクティブ情報発信装置から発信される情報を常に新しいものにしておくことができ、また、必要に応じて、情報を更新することができる。
【００１２】
【発明の実施の形態】
以下、本発明の好適な実施形態を添付図面に基づいて説明する。
【００１３】
図１は、本発明の実施形態に係るアクティブ情報発信装置を示す斜視図である。また、図２は、本発明の実施形態に係るアクティブ情報発信装置のブロック構成図である。図１および図２に示すように、アクティブ情報発信装置１０は、位置表示媒体１１と人体接近感知センサ１２と通信モジール１３、制御装置１４、送信メールを蓄積する情報蓄積装置１５、及び記憶装置１６から構成される。情報蓄積装置１５に蓄積されるメールの内容はテキスト画像、音声、音楽及びこれらの任意の組み合わせである。テキストの中にはさらなる詳しい情報を提供する為のＵＲＬを含むことは可能であるが必須ではない。
【００１４】
位置表示媒体１１は、アクティブ情報発信装置１０の場所を容易に見出すことができるように、分かりやすいロゴ、キャラクタを備えたものである。
【００１５】
人体接近感知センサ１２は、アクティブ情報発信装置１０の近くに人が接近したことを感知するセンサであり、例えば、人体の熱により発せられる赤外線を感知するセンサや、人が所持する携帯電話を待ち受けモードにしたときに発する信号を感知するセンサである。
【００１６】
通信モジュール１３は、情報蓄積装置１５に蓄積された送信メールを赤外線などの電磁波を変調することによりのせ、その赤外線などの電磁波を発する装置である。その変調された赤外線などの電磁波を受信した携帯電話は、その送信されたメールを表示することができる。
【００１７】
制御装置１４は、後述するような記憶装置１６に記憶されたプログラムに従って人体感知センサ１２、通信モジュール１３、記憶装置１６、情報蓄積装置１５を制御する装置である。
【００１８】
情報蓄積装置１５は、通信モジュール１３から赤外線などの電磁波により送信されるデータが蓄積する装置である。データはメールなどであり、そのメールの内容はテキスト、画像、音声、音楽及びこれらの任意の組み合わせである。テキストの中にはさらなる詳しい情報を提供する為のＵＲＬを含むことは可能であるが必須ではない。
【００１９】
記憶装置１６は、アクティブ情報発信装置１０を制御する処理プログラムを記憶する装置である。図３は処理プログラムによる処理のフローチャートである。アクティブ情報発信装置１０の電源を入れることにより、プログラムの動作が開始される。まず、人体感知センサ１２により人体が接近したかどうかを判断する（ステップＳＴ１０）。人体が接近していなければ、ステップＳＴ１０を繰り返す。もし、人体が接近したならば、人体感知センサ１２から制御装置１４にセンサ１２からの信号が入力される（ステップＳＴ１１）。それにより、制御装置１４は、情報蓄積装置１５から、送信データに従った信号で赤外線などの電磁波を変調する（ステップＳＴ１２）。次に、変調された赤外線などの電磁波を通信モジュールにより発する（ステップＳＴ１３）。
【００２０】
上記のプログラムに従って、アクティブ情報発信装置１０が動作することにより、待ち受けモードにした携帯電話を所持した人がアクティブ情報発信装置１０に接近すると、アクティブ情報発信装置１０からは、特定のデータを赤外線などの電磁波により携帯電話に向けて送信し、携帯電話には自動的にメールを受信する。人は、そのメールを見ることにより、情報を得ることができる。
【００２１】
なお、本実施形態においては、アクティブ情報発信装置１０を単独で設置して動作させることで説明したが、図４で示すように、複数のアクティブ情報発信装置１０−１，・・・１０−ｎを外部から制御する為の外部リンク１７そしてこれら装置を接続する接続装置１８より構成してもよい。このとき、外部リンク１７により、外部から送信データであるメールの情報内容を日々時時刻刻変化させて、接続装置１８により、アクティブ情報発信装置１０−１，・・・１０−ｎの情報蓄積装置１５−１，・・・１５−ｎのデータを更新させる。それにより、アクティブ情報発信装置１０−１，・・・１０−ｎから発信される情報を常に新しいものにしておくことができ、また、必要に応じて、情報を更新することができる。
【００２２】
【発明の効果】
以上の説明で明らかなように本発明によれば、次の効果を奏する。
【００２３】
メールの内容は例えば店舗にあってはニュース、商品案内、催事案内、各種サービス、各種スケジュール、乗物にあっては発車時刻、遅延証明発行、車内アナウンス内容、各種サービス、キャンペーン内容、駅構内案内、学校では授業計画変更内容、各種通知、商店街においては活性化を目的としたゲーム的使い方が可能である。個人、商店、会社、各種団体は一般大衆に提供したい情報を潜在的に持つが、ウェブサイトを使ったホームページによる情報提供を行うには知識を持っていない人も多い。本発明によれば、ウェブサイトを使わず直接近傍にいるユーザにメールを届けることが可能となり、店あるいは施設に対する親近感の増大を図ることが可能となる。一方、ユーザ側にとっても情報提供サイトを検索し、情報の洪水の中で苦労することなく欲しい情報を直接受け取ることが可能となる。このように本携帯メールは積極的にターゲットとなる人宛てに積極的にアクティブに情報を出すことを可能とするものである。
【図面の簡単な説明】
【図１】本発明の実施形態に係るアクティブ情報発信装置を示す斜視図である。
【図２】本発明の実施形態に係るアクティブ情報発信装置のブロック構成図である。
【図３】処理プログラムによる処理のフローチャートである。
【図４】外部からリンクしたアクティブ情報発信装置の構成図である。
【符号の説明】
１０          アクティブ情報発信装置
１１          位置表示媒体
１２          人体接近感知センサ
１３          通信モジュール
１４          制御装置
１５          情報蓄積装置
１６          記憶装置
【図１】
2004289763.tif 000003
【図２】
2004289763.tif 000004
【図３】
2004289763.tif 000005
【図４】
2004289763.tif 000006